(57)【要約】【課題】ブラインドリベットを使用して樹脂製の中空ボードに装着部品を取り付ける場合に、表面側の凹部で外観上の見栄えが低下することを抑制する中空ボードを提供する。【解決手段】分割片７１の先端７１ａは、拡開時において、中間部材３１の縦壁部２７，２９における厚さ方向の中央部よりも第１板状部材２３側の位置で縦壁部２７，２９に突き当たる。こののち、分割片７１は縦壁部２７，２９を突き破って中空積層板１９に締結されることによって、取付ブラケット１１を中空積層板１９に取り付けられる。これによって、表面に形成される凹部７３が小さいデッキボード９を得ることができる。【選択図】図８
2015209854.tif 000002
【特許請求の範囲】
【請求項１】
内部に中空部を有する中空積層板と、該中空積層板の表面側または裏面側のうちの一方側に取り付ける装着部品と、該装着部品を前記中空積層板の一方側の面に締結して取り付けるリベット本体と、を備え、
前記中空積層板は、前記一方側に配置される平板状の第１板状部材と、該第１板状部材に対して厚さ方向に間隔をおいて他方側に配置される平板状の第２板状部材と、これらの間に配置されて第１板状部材および第２板状部材同士を結合すると共に中空積層板の厚さ方向に延在する縦壁部によって前記中空部が形成される中間部材と、から構成された中空ボードであって、
前記リベット本体は、軸方向に沿って延在するマンドレル挿通孔を有する筒状に形成され、径方向に広がるフランジと、該フランジから軸方向に延在する筒状のスリーブと、から構成され、
前記リベット本体のマンドレル挿通孔に挿入されて保持されるマンドレルと前記リベット本体とによってブラインドリベットが構成され、
前記マンドレルは、棒状に延在すると共に軸方向の途中に径寸法が局所的に小さくなる易破断部を有する軸部と、該軸部の先端側に設けられ、前記マンドレル挿通孔よりも大きな径寸法に形成された頭部と、該頭部から先端側に所定長さ分だけ突き出る突出部と、を有し、
前記中空積層板の一方側の面および装着部品には、リベット本体のスリーブの径寸法より大きく、かつ、フランジの径寸法よりも小さいリベット孔が貫通して形成されてなり、
前記中空積層板の一方側の面および装着部品のリベット孔に、ブラインドリベットにおけるリベット本体のスリーブを挿入し、前記マンドレルの突出部の先端面を、中空積層板の他方側の面の内側に突き当て、この状態でマンドレルを軸部側に引くと、頭部がリベット本体のスリーブを引き裂いて分割片が形成され、これらの分割片が径方向の外方に向けて花びら状に拡開し、
この分割片の先端は、拡開時において、中間部材の縦壁部における厚さ方向の中央部よりも第１板状部材側の位置で縦壁部を突き破って中空積層板に締結されることを特徴とする中空ボード。
【発明の詳細な説明】
【技術分野】
【０００１】
本発明は、中空ボードに関する。
【背景技術】
【０００２】
従来から、樹脂製の中空ボードにブラインドリベットを使って装着部品を取り付ける技術が公知である（例えば、特許文献１等参照）。
【０００３】
前記ブラインドリベットは、マンドレルとリベット本体とからなる。前記マンドレルは、棒状に延在する軸部と頭部を有している。前記リベット本体は、円盤状のフランジと筒状のスリーブから構成され、前記マンドレルに挿入および保持されている。
【０００４】
前記ブラインドリベットを使って、樹脂製の中空ボードに装着部品を取り付ける手順を簡単に説明する。まず、中空ボードおよび装着部品のリベット孔に、ブラインドリベットにおけるリベット本体のスリーブを挿入する。次に、マンドレルを軸部側に引くと、頭部がリベット本体のスリーブを引き裂いて分割片が形成される。これらの分割片が径方向の外方に向けて花びら状に拡開し、中空ボードの縦壁部を突き破って中空ボードに締結される。これによって、装着部品を中空ボードに取り付けることができる。
【先行技術文献】
【特許文献】
【０００５】
【特許文献１】特開２０１１−１５７９９６号公報
【発明の概要】
【発明が解決しようとする課題】
【０００６】
しかしながら、従来のブラインドリベットを使用して樹脂製の中空ボードに装着部品を取り付けると、リベット本体の分割片が中空ボードの縦壁部を突き破るときに、中空ボードの表面部材を引き込んで表面に凹部が形成されてしまい、外観上の見栄えが低下するおそれがあった。
【０００７】
そこで、本発明は、ブラインドリベットを使用して樹脂製の中空ボードに装着部品を取り付ける場合に、外観上の見栄えが低下することを抑制する中空ボードを提供することを目的とする。
【課題を解決するための手段】
【０００８】
本発明に係る中空ボードは、内部に中空部を有する中空積層板と、該中空積層板の表面側または裏面側のうちの一方側に取り付ける装着部品と、該装着部品を前記中空積層板の一方側の面に締結して取り付けるリベット本体と、を備える。
【０００９】
前記中空積層板は、前記一方側に配置される平板状の第１板状部材と、該第１板状部材に対して厚さ方向に間隔をおいて他方側に配置される平板状の第２板状部材と、これらの間に配置されて第１板状部材および第２板状部材同士を結合すると共に中空積層板の厚さ方向に延在する縦壁部によって前記中空部が形成される中間部材と、から構成された中空ボードである。
【００１０】
前記リベット本体は、軸方向に沿って延在するマンドレル挿通孔を有する筒状に形成され、径方向に広がるフランジと、該フランジから軸方向に延在する筒状のスリーブと、から構成され、
前記リベット本体のマンドレル挿通孔に挿入されて保持されるマンドレルと前記リベット本体とによってブラインドリベットが構成され、
前記マンドレルは、棒状に延在すると共に軸方向の途中に径寸法が局所的に小さくなる易破断部を有する軸部と、該軸部の先端側に設けられ、前記マンドレル挿通孔よりも大きな径寸法に形成された頭部と、該頭部から先端側に所定長さ分だけ突き出る突出部と、を有する。
【００１１】
前記中空積層板の一方側の面および装着部品には、リベット本体のスリーブの径寸法より大きく、かつ、フランジの径寸法よりも小さいリベット孔が貫通して形成されてなる。
【００１２】
前記中空積層板の一方側の面および装着部品のリベット孔に、ブラインドリベットにおけるリベット本体のスリーブを挿入し、前記マンドレルの突出部の先端面を、中空積層板の他方側の面の内側に突き当て、この状態でマンドレルを軸部側に引くと、頭部がリベット本体のスリーブを引き裂いて分割片が形成され、これらの分割片が径方向の外方に向けて花びら状に拡開し、
この分割片の先端は、拡開時において、中間部材の縦壁部における厚さ方向の中央部よりも第１板状部材側の位置で縦壁部を突き破って中空積層板に締結されることを特徴とする。
【発明の効果】
【００１３】
本発明に係る中空ボードでは、分割片の先端は、拡開時において、中間部材の縦壁部における厚さ方向の中央部よりも第１板状部材側の位置で縦壁部に突き当たる。こののち、分割片は縦壁部を突き破って中空積層板に締結される。
【００１４】
ここで、分割片が縦壁部を突き破って中空積層板に締結される際には、第２板状部材および表皮材は第１板状部材に向けて引き込まれる。しかし、分割片が拡開するときに縦壁部における高さ方向の中央部よりも第１板状部材側で分割片が縦壁部を突き破るため、第２板状部材を引き込む量が少なくなり、外観上の見栄えの低下が抑制される。
【図面の簡単な説明】
【００１５】
【図１】本発明の実施形態に係る中空ボードを配設した車両の後部を後方から見た斜視図である。
【図２】図１の中空ボードを示す斜視図であり、裏面を上側に配置して示している。
【図３】図２のＡ−Ａ線による断面図である。
【図４】本発明の実施形態に係るブラインドリベットを示す側面図である。
【図５】図４のブラインドリベットを構成するマンドレルを示す側面図である。
【図６】本発明例に係るブラインドリベットを取付ブラケットおよび中空積層板のリベット孔に挿入した状態を示す断面図である。
【図７】図６の状態からマンドレルを引き上げた状態を示す断面図である。
【図８】リベット本体のスリーブが引き裂かれて分割片となって拡開し、当該分割片の先端が中空積層板の縦壁部を突き破って締結された状態を示す断面図である。
【図９】比較例に係るブラインドリベットを取付ブラケットおよび中空積層板のリベット孔に挿入した状態を示す断面図である。
【図１０】図９の状態からマンドレルを引き上げた状態を示す断面図である。
【図１１】リベット本体のスリーブが引き裂かれて分割片となって拡開し、当該分割片の先端が中空積層板の縦壁部を突き破った状態を示す断面図である。
【発明を実施するための形態】
【００１６】
以下、本発明の実施形態を図面と共に詳述する。
【００１７】
図１に示すように、本実施形態による車両１の車室内には、前部シート３および後部シート５が配設されており、該後部シート５の後方には、トランクルーム７が配設されている。このトランクルーム７の床面には、スペアタイヤや工具等を収容する収容凹部（図示せず）が設けられており、この収容凹部には、上部開口を覆うデッキボード９（中空ボード）が配設されている。前記デッキボード９は、図２に示すように、平面視が略矩形状に形成されており、後述するように樹脂からなる板状部材に構成されている。なお、図２以降のデッキボード９は、裏面が上側に配置されて表面が下側に配置されるように、上下が逆になって記載されている。
【００１８】
図２に示すように、本実施形態に係るデッキボード９（中空ボード）は、裏面における車幅方向の両端に、取付ブラケット１１，１３（装着部品）がリベット本体１５を介して締結されている。つまり、図２，３に示すように、デッキボード９は、内部に中空部１７を有する中空積層板１９と、該中空積層板１９の裏面に取り付ける取付ブラケット１１と、該取付ブラケット１１を前記中空積層板１９の裏面に締結して取り付けるリベット本体１５と、を備えている。なお、リベット本体１５には、破断されたマンドレル４３の先端が嵌合されている。
【００１９】
前記中空積層板１９は、裏面に配置される平板状の第１板状部材２３と、該第１板状部材２３に対して厚さ方向に間隔をおいて表側に配置される平板状の第２板状部材２５と、これらの間に配置されて第１板状部材２３および第２板状部材２５同士を結合すると共に中空積層板１９の厚さ方向に延在する縦壁部２７，２９によって前記中空部１７が形成される中間部材３１と、前記第２板状部材２５の表側に接合される表皮材３３と、から構成されている。
【００２０】
なお、第１板状部材２３、第２板状部材２５および中間部材３１は、樹脂で形成することが好ましい。具体的な材料としては、例えば、低密度ポリエチレン、高密度ポリエチレン、直鎖状低密度ポリエチレン、ホモポリプロピレン、ランダムポリプロピレン、ブロック状ポリプロピレン等のポリオレフィン系樹脂およびこれらのモノマー共重合体若しくはこれらのモノマーと他のモノマーとの共重合体、ポリ塩化ビニル、塩素化ポリ塩化ビニル、ＡＢＳ、ＡＡＳ、ＡＥＳ、ポリスチレン、ポリエチレンテレフタレート、ポリカーボネート、ポリアミド、ポリフッ化ビニリデン、ポリフェニレンサルファイド、ポリサルホン、ポリエーテルケトン及びこれらのコモノマー若しくはコモノマーと他のモノマーとの共重合体等が好ましい。これらの材料は単独で使用しても併用しても良い。以上のように各種の熱可塑性樹脂を用いることができるが、コスト面、成形性、物性、耐低温性、耐熱性等の特性とのバランスを考慮すると、ポリプロピレン系樹脂が好ましい。
【００２１】
また、取付ブラケット１１は、図２，３に示すように、平面視で矩形状に形成された平板状の本体部３５と、該本体部３５における車幅方向中央部から立設された係止部３７と、から一体に形成されている。
【００２２】
図４，５に示すように、ブラインドリベット４１は、マンドレル４３とリベット本体４５とによって構成されている。
【００２３】
前記マンドレル４３は、棒状に延在すると共に軸方向の途中に径寸法が局所的に小さくなる易破断部４７を有する軸部４９と、該軸部４９の先端側に設けられ、リベット本体４５のマンドレル挿通孔５１よりも大きな径寸法に形成された頭部５３と、該頭部５３から先端側に所定長さ分だけ突き出る突出部５５と、を有している。この突出部５５は、マンドレル４３の中心軸方向に沿って延びる円柱状に形成されている。なお、突出部５５の長さはＬに設定されている。
【００２４】
前記リベット本体４５は、径方向に広がる円盤状のフランジ６１と、該フランジ６１から中心軸方向に延在する筒状のスリーブ６３と、から構成されている。また、フランジ６１およびスリーブ６３には、中心軸方向に沿って延在する円筒状のマンドレル挿通孔５１が形成されている。このマンドレル挿通孔５１には、前記マンドレル４３の軸部４９が挿入および保持される。なお、図３に示すように、取付ブラケット１１の本体部３５、第１板状部材２３および中間部材３１には、リベット孔６５が形成されている。このリベット孔６５の孔径は、リベット本体４５のスリーブ６３の径寸法より大きく、かつ、フランジ６１の径寸法よりも小さく設定されている。さらに、リベット本体４５の材質は、アルミニウム、鉄および樹脂に限定されず、種々の材質を適用することができる。
【００２５】
次いで、本実施形態に係るデッキボード９に取付ブラケット１１を締結する手順について説明する。
【００２６】
まず、本発明例について説明する。図６に示すように、取付ブラケット１１の本体部３５に形成したリベット孔６５Ａと、第１板状部材２３および中間部材３１に形成したリベット孔６５Ｂ，６５Ｃと、を合致させる。この状態で、それぞれのリベット孔６５Ａ〜６５Ｃに、ブラインドリベット４１におけるリベット本体４５のスリーブ６３を挿入し、前記マンドレル４３の突出部５５の先端面５５ａを、第２板状部材２５の内面２５ａに突き当てる。
【００２７】
そして、この状態でマンドレル４３を軸部側（図６，７の上側）に引くと、図７に示すように、リベット本体４５が下降してフランジ６１が取付ブラケット３５に当接し、頭部５３がリベット本体４５のスリーブ６３を引き裂いて分割片７１が形成される。これらの分割片７１は、径方向の外方に向けて花びら状に拡開し、中間部材３１の縦壁部２７，２９に突き当たる。ここで、分割片７１の先端７１ａは、中間部材３１の縦壁部２７，２９における高さＨの中央Ｈ／２よりも上側（裏面側）で縦壁部２７，２９に突き当たる。
【００２８】
さらに、図８に示すように、マンドレル４３を軸部側に更に引き上げると、この分割片７１の先端７１ａは、拡開時において、中間部材３１の縦壁部２７，２９における高さ方向の中央よりも第１板状部材２３側（裏側）の位置で縦壁部２７，２９を突き破って縦壁部２７，２９の外方に大きく突き出る。このとき、マンドレル４３が易破断部４７で切断される。これにより、リベット本体４５を介して取付ブラケット１１が中空積層板１９に締結される。なお、図８に示すように、スリーブ６３の分割片７１が中間部材３１の縦壁部２７，２９を突き破るため、表皮材３３および第２板状部材２５におけるリベット本体４５に対応する部位には、第１板状部材２３側（裏側）に向けて若干凹んだ凹部７３が形成される。
【００２９】
次いで、比較例について説明する。図９に示すように、この比較例において、マンドレル１４３には突出部５５を設けていない。取付ブラケット１１の本体部３５に形成したリベット孔６５Ａと、第１板状部材２３および中間部材３１に形成したリベット孔６５Ｂ，６５Ｃと、を合致させる。この状態で、それぞれのリベット孔６５Ａ〜６５Ｃに、ブラインドリベット４１におけるリベット本体４５のスリーブ６３を挿入し、リベット本体４５のフランジ６１を取付ブラケット１１の本体部３５に当接させる。なお、この状態では、前記マンドレル１４３の頭部５３の先端面も、第２板状部材２５の内面２５ａに当接されている。
【００３０】
そして、この状態でマンドレル１４３を軸部側（図９，１０の上側）に引くと、頭部５３がリベット本体４５のスリーブ６３を引き裂いて分割片７１が形成される。これらの分割片７１は、径方向の外方に向けて花びら状に拡開し、中間部材３１の縦壁部２７，２９に突き当たる。ここで、分割片７１の先端７１ａは、中間部材３１の縦壁部２７，２９における高さの中央よりも下側（表面側）で縦壁部２７，２９に突き当たる。
【００３１】
さらに、図１１に示すように、マンドレル１４３を軸部側に更に引き上げると、この分割片７１の先端７１ａは、拡開時において、中間部材３１の縦壁部２７，２９における高さ方向の中央よりも第２板状部材２５側（表側）の位置で縦壁部２７，２９を突き破って縦壁部２７，２９の外方に大きく突き出る。このとき、マンドレル１４３が易破断部４７で切断される。これにより、リベット本体４５を介して取付ブラケット１１が中空積層板１９に締結される。なお、図１１に示すように、スリーブ６３の分割片７１が中間部材３１の縦壁部２７，２９を突き破るため、表皮材３３および第２板状部材２５におけるリベット本体４５に対応する部位には、第１板状部材２３側（裏側）に向けて凹んだ凹部１７３が形成される。この凹部１７３は、図８の凹部７３よりも表皮材３３の表面からの深さが大きくなっている。
【００３２】
以上より、図８と図１１とを比較すれば明らかなように、本発明例の方が比較例よりも、表皮材３３の表面に形成される凹部７３の深さが小さくなって見栄えが良い。
【００３３】
以下に、本実施形態による作用効果を説明する。
【００３４】
本実施形態に係るデッキボード９（中空ボード）は、内部に中空部１７を有する中空積層板１９と、該中空積層板１９の裏面側に取り付ける取付ブラケット１１（装着部品）と、該取付ブラケット１１を前記中空積層板１９の裏面に締結して取り付けるリベット本体４５と、を備えている。
【００３５】
前記中空積層板１９は、裏面側（一方側）に配置される平板状の第１板状部材２３と、該第１板状部材２３に対して厚さ方向（高さ方向）に間隔をおいて表面側（他方側）に配置される平板状の第２板状部材２５と、これらの間に配置されて第１板状部材２３および第２板状部材２５同士を結合すると共に中空積層板１９の厚さ方向に延在する縦壁部２７，２９によって前記中空部１７が形成される中間部材３１と、から構成されている。
【００３６】
前記リベット本体４５は、軸方向に沿って延在するマンドレル挿通孔５１を有する筒状に形成され、径方向に広がるフランジ６１と、該フランジ６１から軸方向に延在する筒状のスリーブ６３と、から構成される。
【００３７】
前記リベット本体４５のマンドレル挿通孔５１に挿入されて保持されるマンドレル４３と前記リベット本体４５とによってブラインドリベット４１が構成される。
【００３８】
前記マンドレル４３は、棒状に延在すると共に軸方向の途中に径寸法が局所的に小さくなる易破断部４７を有する軸部４９と、該軸部４９の先端側に設けられ、前記マンドレル挿通孔５１よりも大きな径寸法に形成された頭部５３と、該頭部５３から先端側に所定長さ分だけ突き出る突出部５５と、を有する。
【００３９】
前記中空積層板１９の裏面側および取付ブラケット１１には、リベット本体４５のスリーブ６３の径寸法より大きく、かつ、フランジ６１の径寸法よりも小さいリベット孔６５が貫通して形成されている。
【００４０】
前記中空積層板１９の裏面側および取付ブラケット１１のリベット孔６５に、ブラインドリベット４１におけるリベット本体４５のスリーブ６３を挿入し、前記マンドレル４３の突出部５５の先端面５５ａを、中空積層板１９の表側の面の内側に突き当て、この状態でマンドレル４３を軸部側に引くと、頭部５３がリベット本体４５のスリーブ６３を引き裂いて分割片７１が形成され、これらの分割片７１が径方向の外方に向けて花びら状に拡開し、
この分割片７１の先端７１ａは、拡開時において、中間部材３１の縦壁部２７，２９における厚さ方向の中央部よりも第１板状部材２３側の位置で縦壁部２７，２９を突き破って中空積層板１９に締結される。
【００４１】
このように、本実施形態では、図７に示すように、分割片７１の先端７１ａは、拡開時において、中間部材３１の縦壁部２７，２９における厚さ方向の中央部よりも第１板状部材２３側の位置で縦壁部２７，２９に突き当たる。こののち、図８に示すように、分割片７１は縦壁部２７，２９を突き破って中空積層板１９に締結される。
【００４２】
ここで、分割片７１が縦壁部２７，２９を突き破って中空積層板１９に締結される際には、第２板状部材２５および表皮材３３は第１板状部材２３に向けて引き込まれる。しかし、分割片７１が拡開するときに縦壁部２７，２９における高さ方向の中央部よりも第１板状部材２３側で突き破るため、図８に示すように第２板状部材２５および表皮材３３を引き込む量が少なくなり、外観上の見栄えが向上する。
【００４３】
なお、図９〜図１１で説明したように、分割片７１が拡開するときに縦壁部２７，２９における高さ方向の中央部よりも第２板状部材２５側で突き破る場合は、図１１に示すように第２板状部材２５および表皮材３３を引き込む量が大きくなり、外観上の見栄えが低下する。
【００４４】
本発明は、前述した実施形態に限定されず、本発明の技術思想に基づいて種々の変更および変形が可能である。例えば、実施形態において、取付ブラケット１１は、デッキボードの裏面に取り付けたが、表面に別の装着部品を取り付けてもよい。また、本実施形態では、樹脂製の中空積層板１９を用いたが、紙製のダンボールやペーパーハニカム等の縦壁部を有する中空積層板を用いても良い。このように、中空積層板の材質は、樹脂、紙、および金属等の種々のものを適用することができる。また、ブロー成形や真空成形によるコア材を有する中空ボードを用いてもよい。
【００４５】
即ち、中空積層板１９は、図示しないが、例えば以下のような構造体とすることができる。
【００４６】
（１）押出し成形で一体にフルート状に成形した構造板のプラスチックダンボール（商品名：ダンプレート、スミパネル）
（２）波形に成形されたシートを２枚のシートで挟んだ構造板
（３）円柱状に成形されたシートを２枚のシートで挟んだ構造体のプラスチックダンボール（商品名：プラパール、メイトーン）
（４）円錐台形に成形された２枚のシートの凸部の先端同士を溶着した構造体を２枚のシートで挟んだ４層の構造板のプラスチックダンボール（商品名：ツインコーン）
（５）押出し成形されたシートを成形し、折り畳み六角形の構造体に２枚のシートを挟んだプラスチックダンボール（商品名：テクセル）
【符号の説明】
【００４７】
９  デッキボード（中空ボード）
１１  取付ブラケット（装着部品）
１７  中空部
１９  中空積層板
２３  第１板状部材
２５  第２板状部材
２７，２９  縦壁部
３１  中間部材
４１  ブラインドリベット
４３  マンドレル
４５  リベット本体
４７  易破断部
４９  軸部
５１  マンドレル挿通孔
５３  頭部
５５  突出部
６１  フランジ
６３  スリーブ
６５  リベット孔
７１  分割片
７１ａ  先端
【図１】
2015209854.tif 000003
【図２】
2015209854.tif 000004
【図３】
2015209854.tif 000005
【図４】
2015209854.tif 000006
【図５】
2015209854.tif 000007
【図６】
2015209854.tif 000008
【図７】
2015209854.tif 000009
【図８】
2015209854.tif 000010
【図９】
2015209854.tif 000011
【図１０】
2015209854.tif 000012
【図１１】
2015209854.tif 000013